(57)【要約】      （修正有）【課題】名刺交換の際に名刺を入れて使用するカード取出具にあって、カード収納面から突出面を飛び出させることで相手を驚かせることができ、使い回しでき、かつ印象を強くできる飛び出すカードを提供する。【解決手段】飛び出すカードは、カード収納面１１Ａと、カード収納面の縦方向に連接されたカード保持面１３Ａと、カード収納面において、カード保持面と縦方向における反対側に連接された折返面２３Ａと、カード収納面から突出し、カード収納面の端部に沿って折り返すことにより、カード収納面に収納される突出面３Ａとを有するようにした。コミュニケーションツールとして使用したり、名刺交換などの際にカードを取り出すカード取出具としての使用が可能である。【選択図】図３
0003182903.tif 000002
【実用新案登録請求の範囲】
【請求項１】
カード収納面と、
前記収納カード面の縦方向に連接されたカード保持面と、
前記収納カード面において、前記カード保持面と前記縦方向における反対側に連接された折返面と、
前記収納カード面から突出し、前記収納カード面の端部に沿って折り返すことにより、前記収納カード面に収納される突出面と
を有することを特徴とするカード取出具。
【請求項２】
前記縦方向に直交する横方向において、前記収納カード面から延設された拡大収納面と、
前記横方向において、前記カード保持面から延設された拡大保持面と
を有することを特徴とする請求項１に記載のカード取出具。
【請求項３】
前記カード収納面と、前記カード保持面と、前記拡大収納面と、前記拡大保持面とを有する第１面と、
前記折返面と、前記カード収納面と対向する収納対向面と、前記折返面から前記横方向に延設された拡大折返面と、前記収納対向面から前記横方向に延設された拡大対向面とを有する第２面とを有し、
前記カード保持面と前記収納対向面とが貼り合わされている
ことを特徴とする請求項２に記載のカード取出具。
【考案の詳細な説明】
【技術分野】
【０００１】
本考案は飛び出すカードに関し、例えば名刺交換の際に名刺を入れて使用するカード取出具に適用して好適なものである。
【背景技術】
【０００２】
従来、名刺交換をする際には、名刺入れから名刺を取り出すのが通常であり、少しでも印象を強くするため、名刺に工夫を凝らすことが行われている。
【考案の概要】
【考案が解決しようとする課題】
【０００３】
しかしながら、名刺に工夫を凝らす場合、２つ折りにしたり、フルカラー印刷を施すなどを行う必要があり、コストが高くなるという問題があった。
【特許文献１】特開２００６−１１６９３４号
【０００４】
本考案は以上の点を考慮してなされたもので、印象を強くできる飛び出すカードを提案しようとするものである。
【課題を解決するための手段】
【０００５】
かかる課題を解決するため本考案の飛び出すカードにおいては、カード収納面と、収納カード面の縦方向に連接されたカード保持面と、収納カード面において、カード保持面と縦方向における反対側に連接された折返面と、収納カード面から突出し、収納カード面の端部に沿って折り返すことにより、収納カード面に収納される突出面とを有するようにした。
【０００６】
これにより、飛び出すカードは、カード収納面から突出面を飛び出させることができるため、相手を驚かせることができる。
【考案の効果】
【０００７】
本考案によれば、飛び出すカードは、カード収納面から突出面を飛び出させることができるため、相手を驚かせることができ、使い回しできて大きなコストを必要とせず、かつ、印象を強くできる飛び出すカードを実現できる。
【図面の簡単な説明】
【０００８】
【図１】第１面側から見たカード取出具の構成を示す略線図である。
【図２】第２面側から見たカード取出具の構成を示す略線図である。
【図３】突出面の構成を示す略線図である。
【図４】カード取出具の紹介（第２面側）の説明に供する略線図である。
【図５】カード取出具の紹介（第１面側）の説明に供する略線図である。
【図６】カード取出具の折り畳み（第２面側）の説明に供する略線図である。
【図７】カード取出具の折り畳み（第１面側）の説明に供する略線図である。
【図８】カード取出具の取出し（第２面側）の説明に供する略線図である。
【図９】カード取出具の取出し（第１面側）の説明に供する略線図である。
【図１０】他の実施の形態によるカード取出具の構成（１）を示す略線図である。
【図１１】他の実施の形態によるカード取出具の構成（２）を示す略線図である。
【考案を実施するための形態】
【０００９】
以下、図面について、本考案の一実施の形態を詳述する。
【００１０】
図１及び図２は、本実施の形態を示すものであり、全体として本考案の飛び出すカードとしてのカード取出具１を表している。カード取出具１００は、第１面１と第２面２とから構成されている。なお、便宜上、第２面２を斜線で示している。また、各面の境界線となる折り目を破線で示している。
【００１１】
図１に示すように、第１面１は、カード収納面１１、拡大収納面１２、カード保持面１３、および拡大保持面１４を有している。図２に示すように、第２面は、収納対向面２１、拡大対向面２２、折返面２３、拡大折返面２４を有している。なお、以降、第１面側からみた場合には符号の後にＡを、第２面側からみた場合には符号の後にＢを付して説明する。
【００１２】
図１に示すように、カード収納面１１Ａは、収納するカードよりも僅かに大きく形成されている。好ましくは４０〜７０×８０〜１１０ｍｍであり、例えば収納するカードが名刺サイズ（５５×９１ｍｍ）の場合には、５６〜７０×９２〜１１０ｍｍであることが好ましい。
【００１３】
拡大収納面１２Ａは、横方向においてカード収納面１１Ａから延設されており、横方向においてカード収納面１１Ａよりも小さく形成されている。拡大収納面１２Ａは、カード収納面１１Ａよりも２０〜５０ｍｍ程度小さく形成されることが好ましい。
【００１４】
カード保持面１３Ａは、横方向と直交する縦方向において、カード収納面１１Ａから延設されており、縦方向においてカード収納面１１Ａの半分よりも小さく形成されている。
【００１５】
拡大保持面１４Ａは、横方向においてカード保持面１３Ａから延設されており、縦方向はカード保持面１３Ａと、横方向は拡大収納面１２Ａとそれぞれ同一サイズである。
【００１６】
図２に示すように、収納対向面２１Ｂは、カード収納面１１面に対向して設けられており、そのサイズはカード収納面１１Ａと同一である。
【００１７】
拡大対向面２２Ｂは、横方向において収納対向面２１Ｂから延設されており、横方向においてカード収納面１１Ａよりも小さく形成されている。拡大対向面２２Ｂは、対向する拡大収納面１２Ａよりも、横方向において僅かに（例えば２〜２０ｍｍ程度）小さく形成されている。
【００１８】
折返面２３Ｂは、横方向と直交する縦方向において、収納対向面２１Ｂから延設されており、縦方向において収納対向面２１Ｂの半分よりも小さく形成されている。
【００１９】
拡大折返面２４Ｂは、横方向において折返面２３Ｂから延設されており、縦方向は折返面２３Ｂと、横方向は拡大対向面２４Ｂとそれぞれ同一サイズである。
【００２０】
図１及び図２に示すように、第１面１及び第２面２は、カード収納面１１Ａと収納対向面２１Ｂとが表出するように、カード収納面１１Ａ及び収納対向面２１Ｂの裏側同士が貼り合わされている。
【００２１】
この結果、第１面側から見ると（図１）、第１面１における各面に加え、折返面２３Ａ及び拡大折返面２４Ａ、並びに拡大折返面２１Ａにおいて拡大収納面１２Ａよりも大きく形成された部分が表出している。
【００２２】
一方、第２面側から見ると（図２）、第２面２における各面に加え、拡大保持面１３Ｂ及びカード保持面１４Ｂが表出している。
【００２３】
かかる構成に加え、本図３に示すように、願考案のカード取出具では、カード収納面１１Ａから縦方向の折返面側へ突出する突出面３Ａを有するようにした。
【００２４】
この突出部３Ａは、突出していない収納部３１Ａの裏面がカード収納面１１Ａに貼り合わされると共に、突出する突出折返部３２Ａはいずれにも貼り合わされていない。この結果、突出折返部３２Ａ折りたたむとカード収納面１１Ａ内に収納される一方、広げるとカード収納面１１Ａ及び折返面２３Ａから突出するようになされている。
【００２５】
次に、カード取出具の使用方法について説明する。
【００２６】
第２面側からみた様子を表す図４に示すように、カード保持面１３Ａ、拡大保持面１４Ａ、及び突出折返部３２Ａが折り返された状態で、カード９９を与えたい人物（以下、カード受取人と呼ぶ）に第２面２を見せる。
【００２７】
第１面１から見た様子を図５に示す。名刺などのカード９９は、折返面１３Ｂと、突出折返部３２Ｂによって保持されている。
【００２８】
このとき、カードを与える人物（以下、カード供給人と呼ぶ）は、例えば「ここに、真っ白な紙があります。真っ白ですよね。」などと言った言葉をかける。第２面２に模様が描かれている場合には、模様についてのコメントを述べてもよい。
【００２９】
次に、第２面２側へ向けて拡大折返面２３Ｂ及び拡大対向面２２Ｂを折り返し、図６のような状態とする。カード供給人は、例えば「このように折り返します。」と説明する。
【００３０】
折り返した状態を第１面側からみた様子を図７に示している。カード９９は折返面１３Ｂと突出折返部３２Ｂによって保持されており、カード供給人は、円で示した指置領域ＦＺを指でつまむ。この指置領域ＦＺは、カード収納面１１Ａ及び収納対向面２１Ａ以外の面が重なっていない状態にある。
【００３１】
そしてカード供給人がたとえば「えいっ」といった掛け声とともにカード取出具を振ると、折り返した各面が開く。このときカード供給人がさっと表裏を変え、第２面の各面（折返面２３Ａ、拡大折返面２４Ａおよび拡大対向面２２Ａ）を裏側へ折り返す。
【００３２】
これにより、図８に示すように、第１面１から名刺が現れると共に、突出面３Ａが第１面１から大きく突出した状態となる。カード供給人は、たとえば「このように、カードが出てまいりました。今後ともよろしくお願いします。」とコメントする。このときの第２面側から見た様子を図９に示している。
【００３３】
このように、本願考案のカード取出具を使用することにより、カード受取人は、最初に見せられた第２面２から第１面を視認するとともに、第１面１から飛び出す突出面３Ａを視認することになる。
【００３４】
従って、カード供給者は、カード受取人に対して大きな驚きを与えることになり、カード受取人に対して非常に強い印象を与えることができる。
【００３５】
なお上述した実施の形態においては、第１面１と第２面２とが貼り合わされているようにした場合について述べた。本考案はこれに限らず、少なくともカード収納面１１Ａとカード保持面１３Ａと折返面２３Ａと突出面３Ａとを有していればよい。例えば図１０及び図１１に示すような構成であっても、上述した実施の形態と同様の効果を得ることができる。
【００３６】
また上述した実施の形態においては、カードを取り出す際にカード取出具１００を使用するようにした場合について述べた。本考案はこれに限らず、カード取出具１００を単体で、例えばマジックグッズやコミュニケーションツールとして使用することも可能である。この場合であっても、突出面３Ａの存在により、相手を驚かせることが可能である。
【産業上の利用可能性】
【００３７】
本考案は、例えばマジックグッズや名刺交換の際に使用するカード取出具として利用することができる。
【符号の説明】
【００３８】
１……第１面、２……第２面、３Ａ……突出面、１１Ａ……カード収納面、１３Ａ……カード保持面、２３Ａ……折返面。
【図１】
0003182903.tif 000003
【図２】
0003182903.tif 000004
【図３】
0003182903.tif 000005
【図４】
0003182903.tif 000006
【図５】
0003182903.tif 000007
【図６】
0003182903.tif 000008
【図７】
0003182903.tif 000009
【図８】
0003182903.tif 000010
【図９】
0003182903.tif 000011
【図１０】
0003182903.tif 000012
【図１１】
0003182903.tif 000013
【手続補正書】
【提出日】平成25年2月8日(2013.2.8)
【手続補正１】
【補正対象書類名】明細書
【補正対象項目名】０００５
【補正方法】変更
【補正の内容】
【０００５】
かかる課題を解決するため本考案の飛び出すカードにおいては、カード収納面と、カード収納面の縦方向に連接されたカード保持面と、カード収納面において、カード保持面と縦方向における反対側に連接された折返面と、カード収納面から突出し、カード収納面の端部に沿って折り返すことにより、カード収納面に収納される突出面とを有するようにした。
【手続補正２】
【補正対象書類名】実用新案登録請求の範囲
【補正対象項目名】請求項１
【補正方法】変更
【補正の内容】
【請求項１】
カード収納面と、
前記カード収納面の縦方向に連接されたカード保持面と、
前記カード収納面において、前記カード保持面と前記縦方向における反対側に連接された折返面と、
前記カード収納面から突出し、前記カード収納面の端部に沿って折り返すことにより、前記カード収納面に収納される突出面と
を有することを特徴とするカード取出具。